(57)【要約】【課題】ダルマ軸が容易に組み立てでき、メンテナンスも容易になるとともに、ダルマ軸の停止動作が明確となって、操作に良好なクリック感が得られる施解錠装置を提供する。【解決手段】施解錠装置１１において、扉木口２５から進退自在となるデッドボルト１５が収容される錠ケース１３と、錠ケース１３に回転自在に設けられ扉３５に設けられる操作部材によって回転されるダルマ軸７１と、ダルマ軸７１に設けられるダルマギア１７に噛合してデッドボルト１５を進退させるデッド駆動ギア１９と、ダルマ軸７１の回転中心８９を中心とした円周に沿う外周面９３に形成され一対の交差する第１面９５及び第２面９７からなるクリック突起２１と、回転中心８９と同方向の揺動軸１０３を中心に錠ケース１３に回転自在に支持され外周面９３に接近する方向に付勢されることで第１面９５または第２面９７に選択的に接するクリックピース２３と、を設けた。【選択図】  図１
2013199749.tif 000002
【特許請求の範囲】
【請求項１】
扉に内設され前面板を貫通して扉木口から進退自在となるデッドボルトが収容される錠ケースと、
前記錠ケースに回転自在に設けられ前記扉に設けられる操作部材の回転操作によって回転されるダルマ軸と、
前記ダルマ軸に連動連結され前記デッドボルトを進退させるデッド連動手段と、
前記ダルマ軸の回転中心を中心とした仮想円の円周に沿う外周面に形成され前記仮想円の異なる一対の接線に平行な交差する第１面及び第２面からなるクリック突起と、
前記回転中心と同方向の揺動軸を中心に前記錠ケースに回転自在に支持され前記外周面に接近する方向に付勢されることで前記第１面または第２面に選択的に接するクリックピースと、
を具備することを特徴とする施解錠装置。
【請求項２】
請求項１記載の施解錠装置であって、
前記デッド連動手段は、前記ダルマ軸の外周にフランジ状に形成され設けられるダルマギアと、該ダルマギアに噛合し前記デッドボルトを進退させるデッド駆動ギアとで構成されることを特徴とする施解錠装置。
【請求項３】
請求項２記載の施解錠装置であって、
前記デッドボルトは、一対の短冊側板とこの一対の短冊側板の一方の長辺部同士を接続する接続板とによって進退方向に直交する方向の断面形状がコ字状に形成され、
前記接続板の一部分が切り欠かれることで一対の前記短冊側板の間で、前記ダルマギアと前記デッド駆動ギアとが噛合されていることを特徴とする施解錠装置。
【発明の詳細な説明】
【技術分野】
【０００１】
本発明は、扉に設けられる操作部材の操作でデッドボルトを扉木口から進退させる施解錠装置に関する。
【背景技術】
【０００２】
錠ケースに錠機構が収容され、扉に設けられるシリンダー錠やサムターン等の操作部材によって、錠機構が作動されて、デッドボルトが扉木口から進退される施解錠装置が知られている（例えば特許文献１参照）。この施解錠装置には、錠ケースに、ダルマ軸が回転自在に設けられている。ダルマ軸には、扉の室外面側に設けられるシリンダー錠の連結部、所謂テールピースや、扉の室内面側に設けられるサムターンの連結部材が係合される。ダルマ軸には半径方向外側に突出する押杆が設けられ、押杆の先端は揺動杆に回動自在に連結される。ダルマ軸は、押杆が、半円柱状の一対の小さなクリックストッパに当接することで、例えば略９０°の回転角度範囲に回動が規制される。この際、ダルマ軸は、押杆と連結される揺動杆に外挿された揺動バネによって、略９０°の回転角度範囲のいずれか一方側に寄せられるよう回動付勢される。
【先行技術文献】
【特許文献】
【０００３】
【特許文献１】特開２００７−１９８０５４号公報（請求項１、図１、段落００１８）
【発明の概要】
【発明が解決しようとする課題】
【０００４】
しかしながら、従来の施解錠装置は、ダルマ軸と揺動杆との組み付けに、揺動バネを圧縮しながら揺動杆を押杆に連結しなければならず、組み立て作業が煩雑であるとともに、メンテナンスも容易でなかった。また、揺動バネによって付勢される揺動杆によって押杆が付勢され、この付勢された押杆が小さなクリックストッパに当接して回転が規制される。このため、ダルマ軸が回転停止されるときに大きな反力（衝撃）が得られず、停止動作が不明確となり、また、良好な操作感が得られないときがあった。
【０００５】
本発明は上記状況に鑑みてなされたもので、その目的は、ダルマ軸が容易に組み立てでき、メンテナンスも容易になるとともに、ダルマ軸の停止動作が明確となって、操作に良好なクリック感が得られる施解錠装置を提供することにある。
【課題を解決するための手段】
【０００６】
次に、上記の課題を解決するための手段を、実施の形態に対応する図面を参照して説明する。
本発明の請求項１記載の施解錠装置１１は、扉３５に内設され前面板２７を貫通して扉木口２５から進退自在となるデッドボルト１５が収容される錠ケース１３と、
前記錠ケース１３に回転自在に設けられ前記扉３５に設けられる操作部材の回転操作によって回転されるダルマ軸７１と、
前記ダルマ軸７１に連動連結され前記デッドボルト１５を進退させるデッド連動手段と、
前記ダルマ軸７１の回転中心８９を中心とした仮想円９１の円周に沿う外周面９３に形成され前記仮想円９１の異なる一対の接線に平行な交差する第１面９５及び第２面９７からなるクリック突起２１と、
前記回転中心８９と同方向の揺動軸１０３を中心に前記錠ケース１３に回転自在に支持され前記外周面９３に接近する方向に付勢されることで前記第１面９５または第２面９７に選択的に接するクリックピース２３と、
を具備することを特徴とする。
【０００７】
この施解錠装置１１では、クリック突起２１の第１面９５または第２面９７にクリックピース２３が選択的に押圧され、ダルマ軸７１の回転方向の位置が二位置となるように、ダルマ軸７１が回転方向に付勢される。これにより、従来の揺動杆が不要となり、部品点数が削減され、かつ、揺動バネを縮めながら組み付けを行う煩雑な組立工程がなくなる。また、従来の半円柱状の小さなクリックストッパに押杆が当接して揺動停止される構造に比べ、クリック突起２１に形成した大きな面積の第１面９５または第２面９７の全面にクリックピース２３が当接され、ダルマ軸７１が回転停止されるときに大きな反力、衝撃が得られ、操作者に対し明瞭な操作感となる。
【０００８】
本発明の請求項２記載の施解錠装置１１は、請求項１記載の施解錠装置１１であって、
前記デッド連動手段は、前記ダルマ軸７１の外周にフランジ状に形成され設けられるダルマギア１７と、該ダルマギア１７に噛合し前記デッドボルト１５を進退させるデッド駆動ギア１９とで構成されることを特徴とする。
【０００９】
この施錠装置１１では、ダルマ軸７１に一体のダルマギア１７の回転が、これに噛合するデッド駆動ギア１９を回転させ、デッド駆動ギア１９に連動してデッドボルト１５を進退させる。
【００１０】
本発明の請求項３記載の施解錠装置１１は、請求項２記載の施解錠装置１１であって、
前記デッドボルト１５は、一対の短冊側板１１７とこの一対の短冊側板１１７の一方の長辺部同士を接続する接続板１１９とによって進退方向に直交する方向の断面形状がコ字状に形成され、
前記接続板１１９の一部分が切り欠かれることで一対の前記短冊側板１１７の間で、前記ダルマギア１７と前記デッド駆動ギア１９とが噛合されていることを特徴とする。
【００１１】
この施解錠装置１１では、デッドボルト１５が中実の場合には錠ケース１３の厚み方向でデッドボルト１５に重ねて配置しなければならなかったダルマギア１７とデッド駆動ギア１９とが、デッドボルト１５の内方に配置可能となる。これにより、ダルマギア１７とデッド駆動ギア１９の配置スペースをデッドボルト１５の厚み方向に別途確保する必要がなくなる。
【発明の効果】
【００１２】
本発明に係る請求項１記載の施解錠装置によれば、ダルマ軸と、このダルマ軸に形成したクリック突起の第１面または第２面に対して押圧付勢となって、ダルマ軸の回転方向の二位置を選択できるクリックピースとが、同方向の回転中心で配置されることで、ダルマ軸を容易に組み付けることができ、メンテナンスも容易になる。また、クリック突起と２つの面により、ダルマ軸の停止動作が明確となって、操作に良好なクリック感が得られる。
【００１３】
本発明に係る請求項２記載の施解錠装置によれば、ダルマ軸に一体のダルマギアの回転が、これに噛合するデッド駆動ギアを回転させ、デッド駆動ギアに連動してデッドボルトを進退させる構成としたので、ダルマ軸が直接デッドボルトを進退動作させる構成に比べダルマ軸の回転角度に規制されずにデッドボルトの進退距離を設定することが可能となる。
【００１４】
本発明に係る請求項３記載の施解錠装置によれば、デッドボルトの内方でデッド駆動ギアとダルマギアとを噛合させることができ、錠ケースの薄型化が可能となる。
【図面の簡単な説明】
【００１５】
【図１】本発明に係る施解錠装置の錠ケース内部の正面図である。
【図２】図１に示したダルマ軸近傍の要部拡大図である。
【図３】（ａ）はテールピースが４５°回転された施解錠装置の正面図、（ｂ）は（ａ）のＡ−Ａ断面図である。
【図４】図１に示す施解錠装置の施錠状態の要部を表す動作説明図である。
【図５】図１に示す施解錠装置のテールピースが３０°時計回りに回転された状態の要部を表す動作説明図である。
【図６】図１に示す施解錠装置のテールピースが６０°時計回りに回転された状態の要部を表す動作説明図である。
【図７】図１に示す施解錠装置のテールピースが９０°時計回りに回転された状態の要部を表す動作説明図である。
【発明を実施するための形態】
【００１６】
以下、本発明に係る実施形態を図面を参照して説明する。
図１は本発明に係る施解錠装置の錠ケース内部の正面図、図２は図１に示したダルマ軸近傍の要部拡大図、図３（ａ）はテールピースが４５°回転された施解錠装置の正面図、（ｂ）は（ａ）のＡ−Ａ断面図である。
本実施形態に係る施解錠装置１１は、錠ケース１３と、デッドボルト１５と、デッド駆動ギア１９と、ダルマ軸７１に形成されるクリック突起２１と、クリックピース２３と、デッド連動手段を構成するダルマ軸７１とダルマギア１７と、を主要な構成として有する。
【００１７】
錠ケース１３は、扉木口２５と平行な前面板２７を有する。前面板２７には、フロント裏板２９が取り付けられる。フロント裏板２９は、錠ケース１３の上下面から上下端が突出される。フロント裏板２９の上下部には固定用穴３１が穿設され、固定用穴３１は扉木口２５に固定されるケース固定ビス３３を挿通する。錠ケース１３は、扉３５に形成される錠ケース収容部３７に扉木口２５から挿入され、フロント裏板２９が扉木口２５に当接して固定される。フロント裏板２９には一対の固定用穴３１の間に一対のビス貫通穴３９が穿設され、一対のビス貫通穴３９は前面板２７に設けられる一対のネジ穴４１と同一ピッチとなる。また、フロント裏板２９には一対のビス貫通穴３９の間に錠ケース１３のデッドボルト用の進退開口部４３と一致する貫通穴４５が穿設され、貫通穴４５はデッドボルト１５を貫通させる。
【００１８】
フロント裏板２９は、フロント板４７によって覆われる。フロント板４７には、デッドボルト１５の貫通するデッド用穴４９が穿設され、このデッド用穴４９を挟む上下には一対のフロント板固定穴５１が穿設される。フロント板４７は、フロント裏板２９を覆い、フロント板４７の板表面５３からフロント板固定穴５１に挿通されるフロント板固定ビス５５が前面板２７のネジ穴４１に螺合される。これにより、フロント板４７は、フロント裏板２９を挟んで錠ケース１３の前面板２７に固定される。
【００１９】
錠ケース１３にはデッドボルト１５がスライド自在に支持される。デッドボルト１５は、前面板２７の進退開口部４３、フロント裏板２９の貫通穴４５、フロント板４７のデッド用穴４９を貫通して扉木口２５から進退自在となる。なお、本実施形態では、デッドボルト１５にカマデッド５７が連結され、カマデッド５７はデッドボルト１５の進退に従動して円弧状の軌跡を描いて錠ケース１３から進退される。
【００２０】
本発明に係る施解錠装置１１は、電気錠とすることができる。この場合、錠ケース１３には動力伝達機構５９が設けられる。動力伝達機構５９は、モーター６１と、モーター６１によって回転されるクラッチギア６３と、クラッチホルダー６５と、クラッチホルダー６５に同軸に固定されるホルダギア６７と、クラッチギア６３の回転をクラッチホルダー６５に伝達するクラッチカム６９と、を備える。なお、本発明に係る施解錠装置１１は、モーター６１を必要とせず、手動により作動する通常のメカニカルなものであっても勿論よい。
【００２１】
錠ケース１３にはダルマ軸７１が回転自在に支持される。ダルマ軸７１の外周にはフランジ状に形成され設けられる略扇形のダルマギア１７が設けられ、ダルマギア１７は円弧外周側に歯が形成される。ダルマ軸７１にはダルマ状のダルマ穴７３が同軸上に形成され、ダルマ穴７３の一方側には図示しない操作部材であるシリンダー錠のテールピース７５が係合している。扉３５にはシリンダー錠の反対側に図示しない操作部材であるサムターンが設けられている。サムターンも出力部材７７（図３参照）がテールピース７５と同様にしてダルマ穴７３の他方側に係合している。つまり、ダルマ軸７１は、シリンダー錠とサムターンとの双方から回転されるようになっている。
【００２２】
錠ケース１３にはデッドボルト１５を挟んでダルマ軸７１，ダルマギア１７の反対側にデッド駆動ギア１９が回転自在に支持され、デッド駆動ギア１９は扇状のモーター側セグメントギア７９とダルマ側セグメントギア８１とを有している。このうち、ダルマ側セグメントギア８１は、ダルマギア１７と噛み合っている。モーター側セグメントギア７９は、ホルダギア６７と噛み合っている。デッド駆動ギア１９には進退アーム８３が半径方向に付設され、進退アーム８３はデッド駆動ギア１９の正逆回転に伴って先端側がデッドボルト１５の進出座面８５または後退座面８７を押圧して、デッドボルト１５を進退させるように駆動する。例えば図１に示す施錠状態からテールピース７５が時計回りに回転されると、デッド駆動ギア１９が反時計回りに回転され、進退アーム８３が後退座面８７を押圧して、デッドボルト１５が後退され、解錠となる。解錠状態からテールピース７５が反時計回りに回転されると、再びデッドボルト１５が進出して、施錠となる。
【００２３】
図２に示すように、ダルマ軸７１には、ダルマギア１７の回転中心８９を中心とした仮想円９１の円周に沿う外周面９３にクリック突起２１が形成される。クリック突起２１は、仮想円９１の異なる一対の接線に平行な交差する第１面９５及び第２面９７からなる。つまり、クリック突起２１は、外周面９３から三角形状に突出している。クリック突起２１は、頂角部９９と回転中心８９とを通る仮想直線１０１によって頂角が二分される。本実施形態において、第１面９５と第２面９７とで挟まれる頂角は、動作角度である略９０°に設定されている。
【００２４】
錠ケース１３には、ダルマ軸７１の下方に、ダルマ軸７１の回転中心８９と同方向の揺動軸１０３を中心に、クリックピース２３が回転自在に設けられる。クリックピース２３にはピース平面１０５が形成され、ピース平面１０５は第１面９５または第２面９７と当接する。クリックピース２３には、ピース平面１０５を挟んで周方向の一方に施錠回転規制ピース面１０７が形成され、周方向の他方に解錠回転規制ピース面１０９が形成される。施錠回転規制ピース面１０７は、ダルマ軸７１における第１面９５の延長上に連続する施錠用ダルマ凹部１１１に当接する。解錠回転規制ピース面１０９は、ダルマ軸７１における第２面９７の延長上に連続する解錠用ダルマ凹部１１３に当接する。錠ケース１３とクリックピース２３との間にはクリックバネ１１５が設けられ、クリックバネ１１５はクリックピース２３を外周面９３に接近する方向に付勢する。
【００２５】
図３に示すように、クリックピース２３は、ダルマ軸７１が回転されると、クリック突起２１によってピース平面１０５が押圧され、クリックバネ１１５が圧縮される。ダルマ軸７１がさらに回転され、仮想直線１０１とピース平面１０５との成す角のうち、ダルマ軸７１の回転方向側の角度θが鈍角となると、ダルマ軸７１は、クリックバネ１１５の復元力によって回転方向に付勢される。ダルマ軸７１は、ピース平面１０５からクリック突起２１が押圧されて回転された結果、第１面９５または第２面９７がピース平面１０５に平行に当接する。同時に施錠用ダルマ凹部１１１または解錠用ダルマ凹部１１３が施錠回転規制ピース面１０７または解錠回転規制ピース面１０９に当接して回転が停止される。すなわち、クリックピース２３は、ピース平面１０５が、クリック突起２１の第１面９５または第２面９７に選択的に接する。
【００２６】
図３（ｂ）に示すように、デッドボルト１５は、一対の短冊側板１１７と、この一対の短冊側板１１７の一方の長辺部同士を接続する接続板１１９とによって進退方向に直交する方向の断面形状がコ字状に形成される。また、デッドボルト１５は、接続板１１９の一部分である後部が凹状切欠部１２１（図２参照）となって切り欠かれる。従って、この凹状切欠部１２１では、一対の短冊側板１１７が平行に配置されるのみとなる。この一対の短冊側板１１７の間には、上記したダルマギア１７とデッド駆動ギア１９との噛合部分が位置している。凹状切欠部１２１を挟む前後には上記の進出座面８５と後退座面８７とが形成される。ダルマ側セグメントギア８１の両側面には上記の進退アーム８３がそれぞれ突出して形成され、両側面で突出する一対の進退アーム８３は一対の短冊側板１１７のそれぞれの進出座面８５または後退座面８７に当接される。
【００２７】
次に、上記構成を有する施解錠装置１１の作用を説明する。
図４は図１に示す施解錠装置１１の施錠状態の要部を表す動作説明図、図５は図１に示す施解錠装置１１のテールピース７５が３０°時計回りに回転された状態の要部を表す動作説明図、図６は図１に示す施解錠装置１１のテールピース７５が６０°時計回りに回転された状態の要部を表す動作説明図、図７は図１に示す施解錠装置１１のテールピース７５が９０°時計回りに回転された状態の要部を表す動作説明図である。
図４に示すデッドボルト１５が進出している施錠状態において、テールピース７５は、ダルマ穴７３で水平配置される。デッド駆動ギア１９の進退アーム８３は、進出座面８５に当接される。ダルマ軸７１は、クリック突起２１の第１面９５が、クリックピース２３のピース平面１０５に当接するとともに、施錠用ダルマ凹部１１１が施錠回転規制ピース面１０７に当接し、反時計回りの回転が規制される。
【００２８】
図５に示すように、テールピース７５が水平位置から時計回りに略３０°回転されると、ダルマ軸７１が同方向に回転され、ダルマ側セグメントギア８１が反時計回りに回転される。ダルマ側セグメントギア８１が反時計回りに回転されることで、進退アーム８３が進出座面８５から外れ、進退アーム８３によって後退座面８７が押圧され始める。進退アーム８３によって後退座面８７が押圧されることで、デッドボルト１５の後退が開始される。このとき、クリック突起２１の頂角部９９によってピース平面１０５が押圧され、クリックピース２３がクリックバネ１１５を圧縮しながら揺動される。
【００２９】
図６に示すように、テールピース７５がさらに時計回りに略６０゜まで回転されると、ダルマ側セグメントギア８１の進退アーム８３が後退座面８７をさらに押圧し、デッドボルト１５がさらに後退される。ダルマ軸７１は、図６に示す状態から引き続きテールピース７５によって回転されようとするが、図７に示す９０°に達する直前で、ダルマ穴７３の形状によりテールピース７５に対して時計回りの回転が許容される。すなわち、ダルマ穴７３の円周方向の遊び部分により、テールピース７５よりも先に時計回りの回転が可能となる。
【００３０】
また、ダルマ軸７１は、クリック突起２１の仮想直線１０１とピース平面１０５との成す角のうち、ダルマ軸７１の回転方向側の角度θが鈍角となると、クリックバネ１１５の復元力によりクリックピース２３によって時計回りに付勢される。その結果、ダルマ軸７１は、テールピース７５が９０°に達する直前に、クリック突起２１が押圧されて加速度的に回転され、図７に示すように、第２面９７がピース平面１０５に平行に衝接する。この際に、クリック感が発生する。同時に、ダルマ軸７１は、解錠用ダルマ凹部１１３が解錠回転規制ピース面１０９に当接して回転が停止される。これにより、デッドボルト１５の解錠が完了する。なお、施錠は、テールピース７５が解錠操作の場合と逆方向に回転されることで、図４，５，６，７に示した動作が図７，６，５，４へ逆に進行することで行われる。
【００３１】
このように、施解錠装置１１では、クリック突起２１の第１面９５または第２面９７にクリックピース２３が選択的に押圧され、ダルマ軸７１の回転方向の位置が二位置となるように、ダルマ軸７１が回転方向に付勢される。これにより、従来の揺動杆が不要となり、部品点数が削減され、かつ、揺動バネを縮めながら組み付けを行う煩雑な組立工程がなくなる。また、従来の半円柱状の小さなクリックストッパに押杆が当接して揺動停止される構造に比べ、クリック突起２１に形成した大きな面積の第１面９５または第２面９７の全面にクリックピース２３が当接され、ダルマ軸７１が回転停止されるときに大きな反力、衝撃が得られる。
【００３２】
また、デッドボルト１５が中実の場合には錠ケース１３の厚み方向でデッドボルト１５に重ねて配置しなければならなかったダルマギア１７とデッド駆動ギア１９とが、デッドボルト１５の内方に配置可能となる。これにより、ダルマギア１７とデッド駆動ギア１９の配置スペースをデッドボルト１５の厚み方向に別途確保する必要がなくなる。その結果、デッドボルト１５の内方でデッド駆動ギア１９とダルマギア１７とを噛合させることができ、錠ケース１３の薄型化が可能となる。
【００３３】
従って、本実施形態に係る施解錠装置１１によれば、ダルマ軸７１が容易に組み付けでき、メンテナンスも容易になるとともに、ダルマ軸７１の停止動作が明確となって、操作に良好なクリック感が得られる。
【００３４】
なお、上述した実施の形態では、ダルマ軸７１の回転をデッドボルト１５に伝えるデッド連動手段を、ダルマ軸７１に設けられるダルマギア１７とデッド駆動ギア１９とで構成する例として説明したが、このデッド連動手段はその他の構成としても良く、上記した進退アーム８３と同様の構成をダルマ軸７１に延設し、デッドボルト１５の進退を行う構成としてもよい。
【符号の説明】
【００３５】
１１…施解錠装置
１３…錠ケース
１５…デッドボルト
１７…ダルマギア
１９…デッド駆動ギア
２１…クリック突起
２３…クリックピース
２５…扉木口
２７…前面板
３５…扉
７１…ダルマ軸
７５…操作部材（テールピース）
８９…回転中心
９１…仮想円
９３…外周面
９５…第１面
９７…第２面
１０３…揺動軸
１１７…短冊側板
１１９…接続板
【図１】
2013199749.tif 000003
【図２】
2013199749.tif 000004
【図３】
2013199749.tif 000005
【図４】
2013199749.tif 000006
【図５】
2013199749.tif 000007
【図６】
2013199749.tif 000008
【図７】
2013199749.tif 000009